(57)【要約】【課題】上記係止体を上記ボルト体の略半外周部分を覆う略半筒状材により形成し、略半筒状材からなる係止体の両開口縁部を上記壁体に当接可能な当接面に形成し、ボルト体の先端部に係止体の内面を嵌合してボルト体と係止体とを枢軸体により枢着してなるから、従来構造のスリット溝及び舌片が存在しない構造とすることができ、ボルト体と係止体との連結強度を高めることができる。【解決手段】ボルト体１の先端部に係止体２を枢軸体３により枢着し、壁体Ｗに形成した挿通穴Ｗ1にボルト体と係止体の各軸線を平行にして挿通し、係止体の９０度自重回動によりボルト体と係止体の各軸線を直交状として壁体の内面に係止体を当接可能に設けてなる。【選択図】図１
2007032629.tif 000002
【特許請求の範囲】
【請求項１】
ボルト体の先端部に係止体を枢軸体により枢着し、壁体に形成した挿通穴にボルト体と係止体の各軸線を平行にして挿通し、該係止体の９０度自重回動によりボルト体と係止体の各軸線を直交状として壁体の内面に係止体を当接可能に設けてなり、上記係止体を上記ボルト体の略半外周部分を覆う略半筒状材により形成し、該略半筒状材からなる係止体の両開口縁部を上記壁体に当接可能な当接面に形成し、該ボルト体の先端部に該係止体の内面を嵌合してボルト体と係止体とを枢軸体により枢着してなることを特徴とする壁用取付ボルト。
【請求項２】
上記係止体を該ボルト体の外径と略同外径の略半筒状材により形成し、該ボルト体の先端部に該係止体の外面と該ボルト体の外面とが略面一に嵌合可能とする切欠嵌合部を形成してなることを特徴とする請求項１記載の壁用取付ボルト。
【請求項３】
上記係止体の内面頂部から上記当接面までの距離が壁体の厚さより短いことを特徴とする請求項１又は２記載の壁用取付ボルト。
【請求項４】
上記枢軸体を上記係止体の重心より偏位した位置に枢着してなることを特徴とする１〜３のいずれか１項に記載の壁用取付ボルト。
【請求項５】
上記請求項１〜４のいずれか１項に記載の壁用取付ボルトのボルト体の基端部に挿通可能な取付部材と、該ボルト体に螺着可能なナット体とを備えてなる壁用取付ボルト装置。
【発明の詳細な説明】
【技術分野】
【０００１】
本発明は例えばＡＬＣパネルや合板等の壁体にブラケットや手摺金具や雨樋金具、分電盤取付金具を取り付ける際に用いられる壁用取付ボルト及びそれを用いた装置に関するものである。
【背景技術】
【０００２】
従来、この種の壁用取付ボルトとして、ボルト体の先端部に係止体を枢軸体により枢着し、壁体に形成した挿通穴にボルト体と係止体の各軸線を平行にして挿通し、係止体の９０度自重回動によりボルト体と係止体の各軸線を直交状として壁体の内面に係止体を当接可能に設け、ボルト体の基端部にブラケットや手摺金具や雨樋金具、分電盤取付金具等の取付部材を挿通し、ボルト体にナット体を螺着して係止体とナット体とにより壁体を挟着して取付部材を壁体に取り付ける構造のものが知られている。
【特許文献１】特開２００２−１３０２３７
【発明の開示】
【発明が解決しようとする課題】
【０００３】
しかしながら上記従来構造の場合、上記ボルト体の先端部にすり割り状のスリット溝を形成し、一方、係止体にスリット溝に嵌入可能な舌片を形成し、スリット溝内に舌片を嵌入してボルト体と係止体とを枢軸体により枢着して形成された構造となっており、このため、スリット溝及び舌片を形成するための切欠部の存在によりボルト体と係止体との連結強度の低下を招くことがあるという不都合を有している。
【課題を解決するための手段】
【０００４】
本発明はこれらの不都合を解決することを目的とするもので、本発明のうちで、請求項１記載の発明は、ボルト体の先端部に係止体を枢軸体により枢着し、壁体に形成した挿通穴にボルト体と係止体の各軸線を平行にして挿通し、該係止体の９０度自重回動によりボルト体と係止体の各軸線を直交状として壁体の内面に係止体を当接可能に設けてなり、上記係止体を上記ボルト体の略半外周部分を覆う略半筒状材により形成し、該略半筒状材からなる係止体の両開口縁部を上記壁体に当接可能な当接面に形成し、該ボルト体の先端部に該係止体の内面を嵌合してボルト体と係止体とを枢軸体により枢着してなることを特徴とする壁用取付ボルトにある。
【０００５】
又、請求項２記載の発明は、上記係止体を該ボルト体の外径と略同外径の略半筒状材により形成し、該ボルト体の先端部に該係止体の外面と該ボルト体の外面とが略面一に嵌合可能とする切欠嵌合部を形成してなることを特徴とするものであり、又、請求項３記載の発明は、上記係止体の内面頂部から上記当接面までの距離が壁体の厚さより短いことを特徴とするものであり、又、請求項４記載の発明は、上記枢軸体を上記係止体の重心より偏位した位置に枢着してなることを特徴とするものである。
【０００６】
又、請求項５記載の発明は、上記請求項１〜４のいずれか１項に記載の壁用取付ボルトのボルト体の基端部に挿通可能な取付部材と、該ボルト体に螺着可能なナット体とを備えてなる壁用取付ボルト装置にある。
【発明の効果】
【０００７】
本発明は上述の如く、請求項１又は５記載の発明にあっては、上記係止体を上記ボルト体の略半外周部分を覆う略半筒状材により形成し、略半筒状材からなる係止体の両開口縁部を上記壁体に当接可能な当接面に形成し、ボルト体の先端部に係止体の内面を嵌合してボルト体と係止体とを枢軸体により枢着してなるから、従来構造のスリット溝及び舌片が存在しない構造とすることができ、ボルト体と係止体との連結強度を高めることができ、壁体に対する取付金具の取付強度を向上することができ、かつ、係止体は略半筒状材により形成され、この略半筒状材からなる係止体の両開口縁部を上記壁体に当接可能な当接面に形成しているから、係止体の略半筒状の形状によって当接面の壁体に対する過度なめり込みを抑制することができ、当接面による壁体の損傷を防ぎ、それだけ取付部材を壁体に確実に取り付けることができる。
【０００８】
又、請求項２記載の発明にあっては、上記係止体をボルト体の外径と略同外径の略半筒状材により形成し、ボルト体の先端部に係止体の外面とボルト体の外面とが略面一に嵌合可能とする切欠嵌合部を形成してなるから、ボルト体及び係止体の壁体の挿通穴への挿入を容易に行うことができ、又、請求項３記載の発明にあっては、上記係止体の内面頂部から上記当接面までの距離が壁体の厚さより短いから、係止体の略半筒状の形状によって当接面の壁体に対する壁体の厚さ以上の過度なめり込みを抑制することができ、当接面による壁体の損傷を防ぎ、それだけ取付部材を壁体に確実に取り付けることができ、又、請求項４記載の発明にあっては、上記枢軸体を上記係止体の重心より偏位した位置に枢着してなるから、係止体の自重回動を容易に行うことができる。
【発明を実施するための最良の形態】
【０００９】
図１乃至図８は本発明の実施の形態例を示し、１はボルト体であって、先端部に係止体２をかしめピンからなる枢軸体３により枢着している。
【００１０】
Ｗは壁体であって、ＡＬＣパネルや合板等であり、壁体Ｗにボルト体１に遊挿可能な挿通穴Ｗ1を形成している。
【００１１】
この場合、上記係止体２を上記ボルト体１の略半外周部分を覆う略半筒状材により形成し、この略半筒状材からなる係止体２の両開口縁部を壁体Ｗに当接可能な当接面２ａ・２ａに形成し、このボルト体１の先端部に係止体２の内面２ｂを嵌合してボルト体１と係止体２とを枢軸体３により枢着している。
【００１２】
又、この場合、上記係止体２をボルト体１の外径Ｄと略同外径ｄの略半筒状材Ｍにより形成し、このボルト体１の先端部に係止体２の外面２ｃと１ボルト体の外面１ａとが略面一に嵌合可能とする略Ｄ断面形状の切欠嵌合部４を形成している。
【００１３】
又、この場合、図８の如く、上記係止体２の内面２ｂ頂部から上記当接面２ａ・２ａまでの距離Ｈが壁体Ｗの厚さｔより短く形成されている。
【００１４】
また、この場合、上記係止体２である略半筒状材Ｍの重心より軸方向に偏位した位置に支持片部２ｄ・２ｄを形成すると共に支持片部２ｄ・２ｄに枢軸穴２ｅ・２ｅを形成し、ボルト体１の先端部に枢軸穴１ｂを形成し、切欠嵌合部４に支持片部２ｄ・２ｄを嵌合して枢軸穴１ｂと枢軸穴２ｅ・２ｅとに枢軸体３を挿通枢着し、ボルト体１と係止体２の各軸線を平行にして自由状態にしたとき、係止体２は枢軸体３により片側に偏位状態に枢着されているので、係止体２の自重により係止体２は９０度自重回動してボルト体１と係止体２の各軸線が直交状となるように構成している。
【００１５】
５は取付部材であって、この場合、断面Ｌ状のブラケットとなっており、この取付部材５にボルト体１の基端部に挿通可能な取付穴５ａを形成している。この取付部材５はブラケットや手摺金具や雨樋金具、分電盤取付金具等の壁体Ｗに取り付けられる部材である。
【００１６】
６はナット体であって、上記ボルト体１の基端部に螺着される。
【００１７】
この実施の形態例は上記構成であるから、図６の如く、ＡＬＣパネル等の壁体Ｗに挿通穴Ｗ1を形成し、ブラケットや手摺金具や雨樋金具、分電盤取付金具等の取付部材５の取付穴５ａを挿通穴Ｗ1に合致させ、ボルト体１と係止体２の各軸線を平行にしてボルト体１を取付穴５ａ及び挿通穴Ｗ1に挿通し、係止体２が挿通穴Ｗ1より抜け出て係止体２が自由状態になった状態でボルト体１を１８０度反転させると、係止体２は枢軸体３により片側に偏位状態に枢着されているので、係止体２の自重により係止体２は９０度自重回動してボルト体１と係止体２の各軸線が直交状となり、図７の如く、ナット体６をボルト体１に螺着することにより取付部材５を壁体Ｗに取り付けることができ、この際、上記係止体２を上記ボルト体１の略半外周部分を覆う略半筒状材Ｍにより形成し、略半筒状材Ｍからなる係止体２の両開口縁部を上記壁体Ｗに当接可能な当接面２ａ・２ａに形成し、ボルト体１の先端部に係止体２の内面２ｂを嵌合してボルト体１と係止体２とを枢軸体３により枢着してなるから、従来構造のスリット溝及び舌片が存在しない構造とすることができ、ボルト体１と係止体２との連結強度を高めることができ、壁体Ｗに対する取付金具５の取付強度を向上することができ、かつ、係止体２は略半筒状材Ｍにより形成され、この略半筒状材Ｍからなる係止体２の両開口縁部を上記壁体Ｗに当接可能な当接面２ａ・２ａに形成しているから、係止体２の略半筒状の形状によって当接面２ａ・２ａの壁体１に対する過度なめり込みを抑制することができ、当接面２ａ・２ａによる壁体Ｗの損傷を防ぎ、それだけ取付部材５を壁体Ｗに確実に取り付けることができる。
【００１８】
又、この場合、上記係止体２をボルト体１の外径Ｄと略同外径ｄの略半筒状材Ｍにより形成し、ボルト体１の先端部に係止体２の外面２ｃとボルト体１の外面１ａとが略面一に嵌合可能とする切欠嵌合部４を形成してなるから、ボルト体１及び係止体２の壁体Ｗの挿通穴Ｗ1への挿入を容易に行うことができ、又、この場合、上記係止体２の内面２ｂ頂部から上記当接面２ａ・２ａまでの距離Ｈが壁体Ｗの厚さｔより短いから、係止体２の略半筒状の形状によって当接面２ａ・２ａの壁体１に対する壁体Ｗの厚さｔ以上の過度なめり込みを抑制することができ、当接面２ａ・２ａによる壁体Ｗの損傷を防ぎ、それだけ取付部材５を壁体Ｗに確実に取り付けることができ、又、この場合、上記枢軸体３を上記係止体２の重心より偏位した位置に枢着してなるから、係止体２の自重回動を容易に行うことができる。
【００１９】
尚、本発明は上記実施の形態例に限られるものではなく、ボルト体１、係止体２、枢軸体３の構造や形態等は適宜設計して変更される。
【００２０】
以上、所期の目的を充分達成することができる。
【図面の簡単な説明】
【００２１】
【図１】本発明の実施の形態例の全体斜視図である。
【図２】本発明の実施の形態例の分離斜視図である。
【図３】本発明の実施の形態例の部分断面図である。
【図４】本発明の実施の形態例の部分平面図である。
【図５】本発明の実施の形態例の横断面図である。
【図６】本発明の実施の形態例の使用状態図である。
【図７】本発明の実施の形態例の使用状態図である。
【図８】本発明の実施の形態例の部分断面図である。
【符号の説明】
【００２２】
Ｗ    壁体
Ｗ1    挿通穴
ｄ    同外径
Ｍ    半筒状材
Ｈ    距離
ｔ    厚さ
１    ボルト体
２    係止体
２ａ    当接面
３    枢軸体
４    切欠嵌合部
【図１】
2007032629.tif 000003
【図２】
2007032629.tif 000004
【図３】
2007032629.tif 000005
【図４】
2007032629.tif 000006
【図５】
2007032629.tif 000007
【図６】
2007032629.tif 000008
【図７】
2007032629.tif 000009
【図８】
2007032629.tif 000010